(57)【要約】本願は、１つまたは複数のあらかじめ形成された定形の領域を有する一体構造のセメント系物品である。定形の領域は、概して、物品の一部分を通って延びているか、または物品全体に及ぶチャネルである。その物品は、それらの端部のうちの少なくとも１つに、１つまたは複数の開口部を含む。その物品は、見かけ密度が低く、強度が高く、かつ高性能の特徴がある。その物品は、製造時には、サイディング、パネル、トリム、鼻隠し、屋根材、廻り縁、敷板、および外柵などの建材として使用するのに適切である。【選択図】図１Ａ
2012522916.tif 000002
【特許請求の範囲】
【請求項１】
あらかじめ形成された１つまたは複数の定形の領域を有する物品であって、前記物品が、セメント系物品であり、一体構造であり、前記定形の領域が、物品の少なくとも一方の端部にあり、前記物品が、前記定形の領域を有していない同様の形をしたセメント系物品よりも軽量である、物品。
【請求項２】
前記物品の見かけ密度が約０．９ｇ／ｃｍ３未満である、請求項１に記載の物品。
【請求項３】
前記１つまたは複数のあらかじめ形成された領域が、前記物品の前記見かけ密度を約１０％以上低減している、請求項１に記載の物品。
【請求項４】
前記１つまたは複数のあらかじめ形成された領域が、前記物品内を延びているチャネルを備えている、請求項１に記載の物品。
【請求項５】
前記１つまたは複数のあらかじめ形成された領域のうちの少なくとも１つが実質的に中空である、請求項１に記載の物品。
【請求項６】
前記１つまたは複数のあらかじめ形成された領域のうちの少なくとも１つの断面形状が、多角形、正方形、矩形、三角形、円形、楕円形、台形、およびそれらの組み合わせからなる群から選択される、請求項１に記載の物品。
【請求項７】
前記１つまたは複数のあらかじめ形成された領域のうちの少なくとも１つが、前記物品の前記表面上のチャネルである、請求項１に記載の物品。
【請求項８】
前記物品がさらに、粒子のマトリックス内にガスポケットによって形成されたボイドを含んでいる、請求項１に記載の物品。
【請求項９】
前記物品の対向する２つの側面が細長くなっている、請求項１に記載の物品。
【請求項１０】
前記物品の厚さが約３／４インチ以上である、請求項１に記載の物品。
【請求項１１】
前記物品がさらに、少なくとも１つの表面上に仕上げ部を有する、請求項１に記載の物品。
【請求項１２】
前記端部における前記定形の領域が、第２の物品の端部における定形の領域と協働し、それにより、前記２つの物品を互いに接合することが可能になる、請求項１１に記載の物品。
【請求項１３】
前記物品の少なくとも１つの端部における前記１つまたは複数の定形の領域が、前記定形の領域内に嵌まるインサートを嵌められるように構成されている、請求項１３に記載の物品。
【請求項１４】
前記物品がさらに、下端に嵌まるか又は係合する溝を備えている、請求項１に記載の物品。
【請求項１５】
前記物品の見かけの応力と密度の比が、少なくとも約８ＭＰａ／（ｇ／ｃｍ３）３以上である、請求項１に記載の物品。
【請求項１６】
前記物品がさらにエンドキャップを備えている、請求項１に記載の物品。
【請求項１７】
前記物品の長さが約１２フィート以上である、請求項１に記載の物品。
【請求項１８】
前記物品がさらに、さらなる補強材を有しない建物構造に使用される従来の物品よりも高い曲げ強度を前記物品にもたらす、さらなる補強材を備えている、請求項１に記載の物品。
【請求項１９】
前記物品が、あらかじめ開けた固定のための孔を必要としない、請求項１に記載の物品。
【請求項２０】
物品にあらかじめ形成された１つまたは複数の定形の領域と、物品内に配置されたさらなる補強の材料とを有する物品であって、セメント系物品であり、一体構造であり、前記材料によって、前記物品の曲げ強度が前記材料を有していない同様の形をしたセメント系物品よりも高くされている、物品。
【請求項２１】
前記材料の厚さが少なくとも約１／４インチである、請求項２０に記載の物品。
【請求項２２】
前記材料が、メッシュ、フィラメント、ファブリック、フィルムおよびフォームからなる群から選択されたもののうちの少なくとも１つの形態である、請求項２０に記載の物品。
【請求項２３】
前記材料が、前記物品に埋め込まれたもの、および前記物品内に形成された１つまたは複数のキャビティを充填するものからなる群から選択される、請求項２０に記載の物品。
【請求項２４】
前記材料の破壊時の伸びが２０％以下である、請求項２０に記載の物品。
【請求項２５】
一体構造の繊維セメント構造を形成するのに有効な原材料を混合してペーストにするステップと、
前記ペーストを押し出し成型機で加工するステップと、
押し出し成形中に構造物および型を用いてチャネルの外形を作って前記ペーストに２つ以上のチャネルを形成するステップと、
未硬化の定形の物品を形成するステップと、
前記未硬化の定形の物品を硬化させるステップと
を含む、物品の作製方法。
【請求項２６】
前記未硬化の定形の物品を形成した後で、１つまたは複数のチャネルを前記物品の表面上に形成するステップをさらに含む、請求項２５に記載の方法。
【請求項２７】
前記未硬化の定形の物品に表面仕上げを追加するステップをさらに含む、請求項２５に記載の方法。
【請求項２８】
前記原材料が、水硬性結合剤、少なくとも１つのシリカ源、および補強材用の１つまたは複数の繊維源を含む、請求項２５に記載の方法。
【請求項２９】
前記原材料が、連続した形、１つまたは複数のバッチの形、およびそれらの組み合わせからなる群から選択される形で追加される、請求項２５に記載の方法。
【請求項３０】
物品を建物構造上の１つまたは複数の設置面に隣接して配置するステップであって、前記物品がセメント系物品であり、一体構造であり、前記物品は１つ以上の定形の領域を有し、該定形の領域のうちの１つまたは複数の領域が前記設置面に隣接して配置される、ステップと、
前記物品を前記１つまたは複数の設置面に固定するステップであって、前記物品が固定のためのあらかじめ開けた孔を必要としない、ステップと
を含む、物品を使用する方法。
【請求項３１】
隣接する物品を前記建物構造上に設けるために、前記配置するステップと前記固定するステップが繰り返される、請求項３０に記載の方法。
【請求項３２】
前記設置面が屋根の根太である、請求項３０に記載の方法。
【請求項３３】
建物構造と共に使用する物品であって、前記物品が、あらかじめ形成された１つまたは複数の定形の領域を有し、前記物品は、セメント系物品であり、一体構造であり、前記定形の領域が、前記物品の少なくとも一方の端部にあり、前記物品が、前記定形の領域を有していない同様の形をしたセメント系物品よりも軽量であり、強度がある、物品と、
前記物品の一部分とともに配置された下端であって、前記物品と前記建物構造との間にある、下端（ソフィット）と
を備えているシステム。
【請求項３４】
前記物品が、前記下端と係合するように構成されたレッジまたは溝のうちの１つをさらに備えている、請求項３３に記載のシステム。
【発明の詳細な説明】
【技術分野】
【０００１】
関連出願の相互参照
本出願は、２００９年４月３日出願の米国仮出願第61/166,427号からの優先権に関する利益を請求するものであり、それはあらゆる目的で参照により本明細書全体に援用される。
【０００２】
本発明は、概して、特性が改善されたセメント系物品、ならびにそのような物品の配合物、そのような物品の作製方法、および使用方法に関する。
【背景技術】
【０００３】
セメント系物品および繊維で補強したセメント系物品を含む複合材料が、建材として使用されることが多い。例には、内装および外装の建物パネル、建物の外壁用のサイディングが含まれる。多くのこうした複合建材は、建設作業員によって手作業で据え付けられる。建材は、軽量であり、耐久性があり、釘打ち可能であり、作業が容易であることが必要である。
【発明の概要】
【０００４】
１つまたは複数の実施態様では、１つまたは複数の特性が改善された、繊維で補強したセメント系物品を本明細書で説明する。その物品は、形成した形状のものであり、１つまたは複数の定形の領域を含んでいる。その物品は、密度が低く、強度および耐久性が高い。１つまたは複数の実施態様では、物品は、最初は、サイディング、パネル、トリム、鼻隠し（フェイシア）、屋根材、廻り縁、敷板、または外柵などの建材に有効な長い物品として用意されてもよい。
【０００５】
本明細書で説明する物品は、セメント系であり、水硬性結合剤、すなわち少なくとも１つのシリカ源と、１つまたは複数の繊維源、すなわち補強に有効な少なくとも１つの繊維源とを含んでいる。前記物品の配合物はさらに、１つまたは複数の可塑剤、密度改変剤、流動性改変剤、撥水剤もしくは疎水性添加剤、濃縮剤、および／または他の添加剤など、１つまたは複数の添加剤を含んでもよい。
【０００６】
前記物品を作製する方法が、概して、平滑化仕上げ、粗面化仕上げ、および／またはテクスチャード仕上げを有する物品を生み出すように、キャスト成形、モールド成形、押し出し成形、またはフローオン成形（ｆｌｏｗ−ｏｎ）によって加工することを含む。表面は、サンディング、ブラッシング、サンドブラスト、スタンピング、エンボス加工、機械加工などの方法を使用してさらに仕上げられてもよい。
【０００７】
１つまたは複数の実施態様では、本明細書で説明する物品は、１つまたは複数のあらかじめ選択された定形の領域を含んでいる。定形の領域が、中空であり、逆転し、かつ／または突出した開口部を形成するチャネルであってもよい。定形の領域が、例えば、端部に開口部を形成すること、および／または物品に空洞領域もしくはキャビティを形成することによって、物品内に形成されてもよい。それらの開口部は、物品の（例えば、幅、長さ）全体にわたって及んでいてもよく、及んでいなくてもよい。逆転および／または突出した領域が、本明細書で説明する物品の１つまたは複数の表面から延びている。あらかじめ選択された各定形の領域の数、形状、および位置は、本明細書で説明する物品の質量および／または見かけ密度を低減させるように構成されている。概して、質量および／または見かけ密度は、物品の応力と密度の比に悪影響を及ぼすことなく低減される。いくつかの実施態様では、あらかじめ選択された領域は、本明細書で説明する領域を有しない等価の物品と比べて、応力と密度の比がずっと高い物品を提供するように構成されている。１つまたは複数の実施態様では、あらかじめ選択された定形の領域は、所定の間隔で、物品の長さまたは幅にわたって延びている１つまたは複数のチャネルを備えている。領域が中空であり、物品内にあるときは、その領域の断面形状は、正方形、変形正方形、多角形、矩形、変形矩形、三角形、変形三角形、円形、変形円形、楕円形、変形楕円形、台形、変形台形、およびそれらの組み合わせからなる群から選択されてもよい。
【０００８】
本明細書で説明する様々な実施態様は、対向する細長い２つの側面と、それらの間を延びる複数の側壁とを有する建物用の物品を提供する。この建物用の物品は、１つまたは複数の定形のキャビティを含み、それらの定形のキャビティのうちのいくつかは、内部に形成されてもよい。キャビティの数、形状、および位置は、応力と見かけ密度の比が、いくつかの実施態様では、定形の領域なしの等価の建物用の物品の少なくとも２０％を超えるか、あるいは定形のキャビティなしの等価の建物用の物品の約２５％を超えるか、または約３０％を超えるか、または約３５％を超える物品を提供するように構成されている。いくつかの実施態様では、定形の領域は、物品の長さにわたって延びている細長いチャネルを複数備えている。チャネルは、物品の表面上、またはその内部に存在していてもよい。いくつかの実施態様では、物品は、好ましくは、厚さ約１／４インチ以上、長さ約６フィート以上である。いくつかの実施態様では、物品は、好ましくは、厚さ約１／４インチ以上、長さ約８フィート以上である。いくつかの実装形態では、物品の対向する側面のうちの少なくとも１つに表面仕上げが形成される。実施態様の１つでは、物品の側壁のうちの少なくとも１つは、その中に複数の開口部が形成されている。その開口部のうちの少なくとも１つは、開口部に嵌まるように構成されたインサート（an insert）を受けるように適合されており、そのインサートは、隣接する２つの物品を横に並べて配置することができる。インサートは、開口部と係合するセルフロック機構を含んでいてもよい。ある実装形態では、インサートには、空気または水を流すことができるようにチャネルが構成されている。
【０００９】
さらなる実施態様では、少なくとも１つのキャビティが内部に形成された物品が提供される。その物品は、任意選択で、少なくとも１つのキャビティの近くに埋め込まれるか、またはその内部に配置されたさらなる補強材を含む。さらなる補強材は、さらなる補強材なしの等価の物品と比べてずっと曲げ強度（ｂｅｎｄｉｎｇ  ｓｔｒｅｎｇｔｈ）または屈曲強さ（ｆｌｅｘｕｒａｌ  ｓｔｒｅｎｇｔｈ）が高い物品を提供するように選択された材料である。いくつかの実施態様では、さらなる補強材は、木材、木質複合材、プラスチックまたはプラスチック複合材（例えば、ポリプロピレン、ナイロン）、ガラス、ポリマーフォーム、繊維、金属（例えば、アルミニウム）、およびそれらの組み合わせからなる群から選択される。さらなる補強材は、メッシュ、フィラメント、ファブリック、フィルムおよび／またはフォームの形態でもよい。実施態様の１つでは、さらなる補強材は、厚さが少なくとも１／４インチのレイヤ(a layer)であり、物品に埋め込まれる。別の実施態様では、さらなる補強材は、キャビティ内に配置された中空の繊維を含む。
【００１０】
追加の実施態様では、１つまたは複数の物品を建物構造に設置するためのシステムが提供される。そのシステムは第１の物品を含んでおり、その第１の物品は、対向する２つの側面によって画定された細長い本体と、それらの側面の間を延びる複数の側壁とを有し、内部に形成された２つ以上のあらかじめ選択された定形の領域をさらに備えている。第１の物品は、低密度の繊維で補強したセメント系材料から作製されており、釘打ち可能である。第１の物品の応力と見かけ密度の比は、少なくとも約８．０ｇ／ｃｍ３以上、または少なくとも約９ｇ／ｃｍ３以上、または少なくとも約９．２５ｇ／ｃｍ３以上である。このシステムはさらに、少なくとも１つの第２の物品を備えており、その第２の物品はそれぞれ、細長い本体と、隙間を閉じるようにして垂直に第１の物品と係合するように適合された縁部とを有する。実施態様の１つでは、第１の物品の溝は、第２の物品の縁部を受け、それと係合するように形成されている。第１の物品のあらかじめ選択された定形の領域は、第１の物品の端部に開口部を形成する１つまたは複数の中空のチャネルを含んでいる。その開口部は、第１の物品の長さにわたって延びていてもよい。そのシステムは、任意選択で、第１の物品の開口部中に延びてその１つまたは複数の開口部をカバーするように適合されたエンドプラグをさらに備えている。そのシステムは、任意選択で、第１の物品を、開口部を有する別の物品と互いに接合し固定するようにして、第１の物品の少なくとも１つの開口部と係合するように適合された１つまたは複数のインサートさらに備えている。
【００１１】
他の実施態様は、形成時に細長い本体と複数の開放型チャネルとを有する、鼻隠し物品を含んでいる。それらのチャネルは、物品の少なくとも一部分に及び、所定の形状およびサイズの中空または溝付きの領域であり、応力と密度の比が開放型チャネルのない等価の物品を超える物品を提供するように選択されている。その物品は、一体構造の材料であり、任意選択で、さらなる補強材を物品内に組み込んでいる。第１の物品の応力と見かけ密度の比は、少なくとも約８．０ｇ／ｃｍ３以上、または少なくとも約９ｇ／ｃｍ３以上、または少なくとも約９．２５ｇ／ｃｍ３以上である。ある特定の実施態様では、それらのチャネルは、物品の全長にわたって延びている。各チャネルの断面形状は、概して正方形、矩形、三角形、円形、楕円形、台形、多角形、およびそれらの組み合わせからなる群から選択される。チャネルは、サイズ、間隔、および／または形状が必ずしも一様ではない。
【００１２】
本明細書で説明するさらなる追加の実施態様は、釘打ち可能であり形成時に複数のチャネルを有する物品を建物構造に据え付ける方法を含む。代表的な方法の１つは、物品の長さが設置面にわたって延びるようにして、物品を建物構造の１つまたは複数の設置面（例えば、屋根の根太(a roof joist)）に隣接して配置することと、物品を建物構造に設置するようにいくつかの位置でその物品を釘打ちすることとを含む。１つまたは複数の方法はさらに、第２の物品を建物構造に、第１の物品に隣接して設置することと、それらの２つの物品が端部同士で接合されるようにしてそれらの２つの物品を相互連結することとを含んでもよい。２つの物品を相互連結することは、コネクタの第１の端部を、第１の物品の一方の端部に配置されたチャネルに部分的に挿入することと、コネクタの第２の端部を、第２の物品の一方の端部に配置されたチャネル中に部分的に挿入することとを含む。
【００１３】
さらに追加の実施態様は、本明細書で説明する物品を作製する方法を含む。代表的な方法の１つは、一体構造の繊維セメント物品を形成するのに有効な原材料を混合してペーストにすることと、押し出し成型機で加工することと、押し出し成形中に構造物および型を用いてチャネルの外形を作って、２つ以上のチャネルを形成し、それにより、２つ以上のチャネルを有する未硬化の定形の物品を形成することと、その未硬化の定形の物品を硬化させることとを含む。１つまたは複数の方法はさらに、未硬化の定形の物品を形成した後に追加のチャネルを設けることを含んでもよい。１つまたは複数の方法はさらに、表面仕上げ（例えば、例としてサンディング(sanding)、機械加工、ブラッシング）を未硬化の定形の物品に追加することを含んでもよい。１つまたは複数の方法はさらに、硬化後に物品をコーティングすることを含んでもよい。
【００１４】
本明細書で説明する他の実施態様は、１つまたは複数の物品を使用するシステムを含む。代表的なシステムの１つは、物品を建物構造に直接釘打ちできる低密度繊維セメントの一体構造の材料から形成された物品を備えており、物品と一体に、かつ物品と建物構造との間の隙間を閉じるようにして配置できる下端も備えている。その物品は、物品内に形成された２つ以上の中空の領域を含み、応力と密度の比が中空の領域なしで作製された等価の物品よりも高い物品を提供するように構成されている。
【００１５】
当業者であれば、図面と併せて詳細な説明を読めば、他の重要な面と共に上記に記載した特徴および強化点をさらに理解するであろう。
【図面の簡単な説明】
【００１６】
本明細書で本発明の特徴および利点をより完全に理解するために、次に、本発明の説明を添付の図面を併せて参照する。
【図１Ａ】本明細書で説明する物品の代表的な構成を示す斜視図。
【図１Ｂ】図１Ａの構成の定形の領域を示す端面図。
【図２Ａ】本明細書で説明する物品の別の代表的な構成を示す斜視図。
【図２Ｂ】図２Ａの構成の定形の領域を示す端面図。
【図３Ａ】本明細書で説明する物品の別の代表的な構成を示す斜視図。
【図３Ｂ】図３Ａの構成の定形の領域を示す端面図。
【図４Ａ】本明細書で説明する物品の別の代表的な構成を示す斜視図。
【図４Ｂ】図４Ａの構成の定形の領域を示す端面図。
【図５Ａ】本明細書で説明する物品の別の代表的な構成を示す斜視図。
【図５Ｂ】図５Ａの構成の定形の領域を示す端面図。
【図５Ｃ】本明細書で説明する、形成した物品の端面のさらなる代表的な構成を示す図。
【図６Ａ】本明細書で説明する物品の別の代表的な構成を示す斜視図。
【図６Ｂ】図６Ａの構成の定形の領域を示す端面図。
【図６Ｃ】本明細書で説明する、形成した物品の端面の他の代表的な構成を示す図。
【図７】本明細書で説明する物品のさらなる代表的な構成を示す端面図。
【図８】本明細書で説明する物品のさらなる代表的な構成を示す端面図。
【図９】本明細書で説明する物品のさらなる代表的な構成を示す端面図。
【図１０】本明細書で説明する物品のさらなる代表的な構成を示す端面図。
【図１１】本明細書で説明する物品のさらなる代表的な構成を示す端面図。
【図１２Ａ】本明細書で説明する物品のさらなる代表的な構成を示す斜視図。
【図１２Ｂ】図１２Ａの構成の定形の領域を示す端面図。
【図１２Ｃ】図１２Ａの構成と同様の構成の定形の領域を示す端面図。
【図１３Ａ】本明細書で説明する物品の別の代表的な構成を示す斜視図。
【図１３Ｂ】図１３Ａの構成の定形の領域を示す端面図。
【図１３Ｃ】図１３Ａの構成と同様の構成の定形の領域を示す端面図。
【図１４】本明細書で説明する物品のさらなる代表的な構成を示す端面図。
【図１５】本明細書で説明する物品の他の代表的な構成を示す斜視図。
【図１６Ａ】本明細書で説明する物品の他の代表的な構成を示し、インサート（断面を示す）が内部の定形の領域内に配置された様子を描いた端面図。
【図１６Ｂ】本明細書で説明する物品の他の代表的な構成を示し、インサート（断面を示す）が内部の定形の領域内に配置された様子を描いた端面図。
【図１７Ａ】本明細書で説明する物品の他の代表的な構成を示し、インサート（断面を示す）が内部の定形の領域内に配置された様子を描いた端面図。
【図１７Ｂ】本明細書で説明する物品の他の代表的な構成を示し、インサート（断面を示す）が内部の定形の領域内に配置された様子を描いた端面図。
【図１８】本明細書で説明する代表的な物品をインサートと共に示し、切断したときの物品の一方の端部の一部分を示す図。
【図１９Ａ】本明細書で説明する代表的なインサートを示す図。
【図１９Ｂ】本明細書で説明する代表的なインサートを示す図。
【図１９Ｃ】本明細書で説明する代表的なインサートを示す図。
【図２０】本明細書で説明する代表的なインサートを示す図。
【図２１Ａ】本明細書で説明する追加の代表的な物品をインサートと共に示し、１つまたは複数の物品の一方の端部および内部の開口部を示す図。
【図２１Ｂ】本明細書で説明する追加の代表的な物品をインサートと共に示し、１つまたは複数の物品の一方の端部および内部の開口部を示す図。
【図２２】１つまたは複数のさらなる補強材を内部に有する本明細書で説明する代表的な物品を示す図。
【図２３】１つまたは複数のさらなる補強材を内部に有する本明細書で説明する代表的な物品を示す図。
【図２４】インサートによって連結されている代表的な２つの物品の一部分を示す図。
【図２５】本明細書で説明する代表的なエンドプラグを示す図。
【図２６】本明細書で説明する代表的なエンドプラグを示す図。
【図２７】本明細書で説明する物品の一方の端部に配置された代表的なエンドプラグを示し、物品の一部分のみを示す図。
【図２８】本明細書で説明する物品の一方の端部に配置された代表的なエンドプラグを示し、物品の一部分のみを示す図。
【図２９】本明細書で説明する、２つ以上の定形の領域を有する、形成された代表的な物品を示す断面図。
【図３０】本明細書で説明する物品を作製する代表的な方法を示す図。
【図３１Ａ】本明細書で説明する物品の追加の代表的な構成を示す斜視図。
【図３１Ｂ】本明細書で説明する物品の追加の代表的な構成を示す端面図。
【図３２Ａ】本明細書で説明する物品の追加の代表的な構成を示す斜視図。
【図３２Ｂ】本明細書で説明する物品の追加の代表的な構成を示す端面図。
【図３３Ａ】本明細書で説明する物品の追加の代表的な構成を示す斜視図。
【図３３Ｂ】本明細書で説明する物品の追加の代表的な構成を示す端面図。
【図３４Ａ】本明細書で説明する物品の追加の代表的な構成を示す斜視図。
【図３４Ｂ】本明細書で説明する物品の追加の代表的な構成を示す端面図。
【図３５】本明細書で説明する物品の使用時の様々な代表的な実施形態を示す図。
【図３６】本明細書で説明する物品の使用時の様々な代表的な実施形態を示す図。
【図３７】本明細書で説明する物品の使用時の様々な代表的な実施形態を示す図。
【図３８】本明細書で説明する物品の使用時の様々な代表的な実施形態を示す図。
【図３９】本明細書で説明する物品の使用時の様々な代表的な実施形態を示す図。
【発明を実施するための形態】
【００１７】
様々な実施形態の作製および使用を以下で詳細に議論するが、本明細書で説明するように、様々な文脈中に実施できる本発明の多くの概念が提供されていることを理解されたい。本明細書で議論する実施形態は、本発明を作製し使用する手法の単なる例示であり、本発明の範囲を限定するものではない。
【００１８】
図面は縮尺が必ずしも正確ではなく、明瞭かつ簡潔にするために、ある特定の特徴の縮尺を拡大して示すこともあり、ある程度一般化または概略化した形態で示すこともある。
【００１９】
米国および他の国々では、多くの建材がビニルまたは木材から作製されている。木材またはビニルは、仕上げ製品として、またはアルミニウム下の表面下の材料として使用されることが多い。木材は軽量であるが、天候により色あせおよびひび割れする傾向があり、場所および環境条件に応じて、定期的に、典型的には約３から５年の期間で、再塗装または交換する必要がある。木材から作られた、ボードなどの建材は、木材の天然の構成により、外観が一様でないことが多い。したがって、木材と同等かもしくはそれを超える耐久性があり、天候による色あせもしくはひび割れに対する抵抗力があり、かつ／またはより一様の外観を有する、軽量の物品が必要である。セメント系の建材が、発展しており、耐久性があり、木材製品の代替として長持ちするが、従来の一部のセメントベースの製品は、場合によってはセメントの性質と相まって、ボードの厚さのせいで釘打ちが難しいことがある。さらに、建物用のセメント系ボードは、重く、稠密であり、扱いが難しいことがある。したがって、代替的に、軽量かつ低密度であり、耐久性があり、長持ちし、扱いが簡単でもある、建物用のセメント系物品が必要である。
【００２０】
本明細書で説明する１つまたは複数の実施形態は、本明細書で繊維セメント物品とも称する、１つまたは複数のタイプの繊維で補強されるセメント系物品を提供する。本明細書で説明する物品は、１つまたは複数の構成をとってもよい。ある物品は、パネルまたはシートとして、概して平坦な少なくとも２つの面によって全体的に画定されており、それらの面は、外面であり、概して対向する面である。本明細書の物品は、概して、１つまたは複数の外周縁部も有し、その外周縁部は、概して、表面積が最も小さい面の表面積未満または最も小さい縁部の表面積未満である外面として画定されている。物品の幅がその長さ未満であるときは、その長さは、物品の２つの端部を画定する。他の定形の物品は、２つより多くの端部を有してもよい。本明細書で説明する物品の代表的な構成は、パネル、外柵、サイディング、トリム、鼻隠し板、屋根材、廻り縁、敷板などを含む。本明細書で説明する物品は、外装および内装の用途に使用されてもよい。
【００２１】
本明細書で説明する物品のマトリックス構造は、マイクロボイドおよびマクロボイドを含んでいる。マイクロボイドは、概して、約１００マイクロメートル（μｍ）未満のボイドを指し、マクロボイドは、概して、それよりも大きい。マクロボイドおよびマイクロボイドは、本明細書で説明する物品のマトリックス全体にわたって一様に分配されていてもよく、ランダムに分配されていてもよい。１つまたは複数の実施形態では、ボイドは、マトリックス全体に分配されているガスポケットである。ガスポケットは、概して、球形でも、代替の形状のものでもよく、各ポケットまたは空間の呼び寸法は、概して約１ミリメートル（ｍｍ）未満である。いくつかの実施形態では、ガスポケットのサイズは約５００μｍ未満である。いくつかの実施形態では、ガスポケットのサイズは約１００μｍ未満である。いくつかの実施形態では、ガスポケットのサイズは約５０μｍ未満である。本明細書で言及するガスポケットは、ある特定の原料源に固有のボイドではない。例えば、ガスポケットは、概して、中空のミクロスフェアもしくは中空のパーライトの構造内に、または材料自体に自然に生じるボイドもしくは材料のない空間を有する他の材料に生じることがある、固有の空間もしくはボイドを指していない。本明細書で説明するように、ガスという用語は、大気、あるいは例として純粋窒素もしくは二酸化炭素などの不活性ガスまたは反応ガスを指してもよい。マトリックスに１つまたは複数のガスポケットを有する、本明細書で説明する物品は、概して、ガスポケットなしの物品よりも低い見かけ密度を呈する。
【００２２】
本明細書で説明する繊維セメント物品の見かけ密度は、概して、約１．２ｇ／ｃｍ３未満であり、場合によっては、約１．０ｇ／ｃｍ３未満である。いくつかの実施形態では、見かけ密度は約０．９５ｇ／ｃｍ３未満であり、約０．９０ｇ／ｃｍ３未満でもよく、約０．８５ｇ／ｃｍ３未満でもよく、約０．８０ｇ／ｃｍ３未満でもよく、約０．７５ｇ／ｃｍ３未満でもよく、約０．７０ｇ／ｃｍ３未満でもよく、約０．６５ｇ／ｃｍ３未満でもよく、さらに、約０．６ｇ／ｃｍ３未満でもよい。見かけ密度は、本明細書で言及するように、物品の乾燥重量（質量）を、外側の平坦な面で画定されたときの物品の体積で割ったものである。本明細書で説明する見かけ密度が低い繊維セメント物品は、見かけ密度が高い物品と比べたときに、軽量であり、扱いが簡単であり、構造上の支持の要件が少ないことが反映されるような建材として特に有効であることが分かっている。見かけ密度が低いことで、１つまたは複数の本明細書で説明する物品は、１つまたは複数の形態で、重過ぎず、稠密でなく、据え付け中に扱いが難しくない、非常に長く軽量に作製されていてもよい。一例では、鼻隠しとして形成された物品の見かけ密度が０．８ｇ／ｃｍ３または約０．８ｇ／ｃｍ３である。追加の例では、鼻隠しとして形成された物品の見かけ密度は、０．８５ｇ／ｃｍ３または約０．８５ｇ／ｃｍ３である。他の例では、トリムとして形成された物品の見かけ密度は０．９ｇ／ｃｍ３または約０．９ｇ／ｃｍ３である。
【００２３】
本明細書で説明する物品の、（概して平面の）２つの面の間の最短距離として測定される厚さは、約３インチ以下でもよい。いくつかの実施形態では、厚さは、約２インチ以下でもよく、約１．５インチ以下でもよい。いくつかの実施形態では、厚さは約１インチ以下または約１／４インチである。こうした物品は、より薄い建材（例えば、厚さ約２インチ以下、または約１．５インチ以下、または約１インチ以下のパネルまたはサイディング）として形成されると、使用時に同じ面積をカバーし、しかも物品を形成するための原料の量を減らすことができる。いくつかの実施形態では、その厚さは、さらに説明するように、形成した物品によって設けられる様々な突起、湾曲、および／または空洞の領域ならびに／あるいは溝付きの領域を考慮して、物品全体で異なっていてもよい。第１の実施例では、トリムの形態の物品の厚さは約１インチである。別の例では、トリムの形態の物品の厚さは約１．５インチである。さらに別の例では、鼻隠しの形態の物品の厚さは約１インチである。さらに別の例では、鼻隠しの形態の物品の厚さは約１．５インチである。さらに別の例では、廻り縁の形態に作製された物品は、より厚い点で、厚さ約０．７８インチ、または厚さ約０．８３インチである。
【００２４】
本明細書で説明する物品が、例としてシート、またはパネル、またはトリム、または鼻隠し、または廻り縁など、より長い物品として構成されるときは、パネルの長さは、全ての外面を考えたときの、同じ面上の２点間の最も長い距離である。多くの場合、本明細書で説明した物品の長さは、約８フィートを超え、または約１０フィート以上でもよく、または約１２フィート以上でもよく、約１６フィート以上でもよい。いくつかの例では、トリム、敷板、または鼻隠しなどのための長い建材は、より速く据え付けできて、連続する部品間の接合部がより少ないと、据え付けの容易さおよび時間を助けることが分かっている。一例では、トリムの形態の物品は、長さ１０フィート、または長さ１２フィート、または長さ１６フィートである。別の例では、鼻隠しの形態の物品は、長さ１０フィート、または長さ１２フィート、または長さ１６フィートである。
【００２５】
１つまたは複数の実施形態では、説明する物品は、例として、同じ長さでいくらか細いシート、またはパネル、またはトリム、または鼻隠し、または廻り縁として構成されている。２つの縁部間の距離として測定される物品の幅は、いくつかの実施形態では、約１６インチ以下である。幅は、約１２インチ以下でもよく、または約８インチ以下、または約６インチ以下、または約５インチ以下でもよい。さらなる実施形態では、幅は約４インチ以下でもよい。いくつかの物品が細いときは、トリムまたは鼻隠し板として使用するのに特に適切なことがあると分かっている。１つの例では、トリムの形態の物品は、幅１１．２５インチ、または幅７．２５インチ、または幅５．５インチ、または幅４．５インチ、または幅３．５インチである。別の例では、鼻隠しの形態の物品は、幅７．２５インチ、または幅５．５インチである。有利なことに、本明細書で説明するように質量を減少させ強度を改善した場合は、より長い製品は本明細書で説明するように作製されてもよい。さらに、こうした製品は、長さが長くても長くなくても、（例えば、１つまたは複数の定形のチャネルを欠いた）中実の物品と比べて、取り扱い中および運搬中の破損が減少することが分かっている。本明細書で説明する形成した製品は、例として鼻隠し、トリム、および廻り縁など、ある特定の建材に関して、標準の寸法および要件を満たすことが分かっている。
【００２６】
１つまたは複数の本明細書で説明する物品では、外面は、概して平滑な仕上げおよび／または概して粗面の仕上げを有する事実上平坦な面でもよい。さらに、または代替として、少なくとも１つの外面は、事実上、追加の仕上げありで形成されても、仕上げなしで形成されてもよい。いくつかの実施形態では、１つまたは複数の面上の仕上げは、一様またはランダムの名前および／または特定のマークなど、芸術的なデザインを含んでもよい。いくつかの実施形態では、表面は、木材の粒または石の外観など、既知のテクスチャを模造してもよい。
【００２７】
物品は、本明細書で説明するように用意されるときは、１つまたは複数の定形の領域すなわちチャネルを含んでもよい。いくつかの実施形態では、定形のチャネルは、外部の空洞領域および／または溝付きの領域である。さらに、または代替として、定形のチャネルは、内部の中空の領域でもよい。中空のセクションまたは領域があると、本明細書で説明する物品の重量が減少する。本明細書で説明するような中空セクションは、あらかじめ形成（例えば、形成加工中に用意）してもよい。１つまたは複数の空洞のセクションは、どのセメント系材料または他の材料にもない１つまたは複数の形状を物品内にデザインすることによって物品中に設計してもよい。１つまたは複数の定形の領域は、物品上の機械的力を物品に沿ってより簡単に分散および分配することができ、したがって、局所化した応力の集中を最小限に抑え、物品全体の強度の完全性を保証するように設計される。１つまたは複数のあらかじめ形成された中空の領域は、概して、１つまたは複数の細長いチャネルを備えており、そのチャネルは、物品の長さもしくは幅の一部分またはその全体にわたって延びていてもよく、及んでいてもよい。物品に２つ以上の空洞領域が設けられるときは、各領域の形状は、互いに同じでもよく、同様でもよく、または異なっていてもよい。単一の物品に１つまたは複数のあらかじめ形成された中空の領域は、局所化する応力の集中を最小限にし、かつ／または密度を減少させるために、同じにする必要はない。
【００２８】
さらに、または代替として、本明細書で説明する１つまたは複数の物品表面は、外側に突出および／または内側に湾曲する部分を有する、１つまたは複数の追加の定形のチャネルを有していてもよい。突出または湾曲したチャネルは、機能性の部分を含んでいてもよく、またはデザインの特徴として機能してもよく、あるいはそれらの組み合わせでもよい。こうした定形の表面の例は、キーライン、ビード、および溝である。湾曲または突出した部分は、深くてもよく、または表面にのみあってもよい。いくつかの物品は、複数の定形の領域の組み合わせを含んでいてもよい。例えば、湾曲および／または突出した部分を、１つまたは複数の内部の空洞領域とさらに組み合わせてもよい。空洞部分の場合には、本明細書で説明する物品の外側部分および湾曲した部分は、本明細書で説明する物品の重量をさらに減少させることができる。物品の外側部分および／または湾曲した部分は、あらかじめ形成される（例えば、形成加工中に準備される）ことが多い。１つまたは複数の湾曲および／または突出した部分は、物品の少なくとも１つの表面上にこうした部分のうちの１つまたは複数をデザインすることによって、物品中に設計されることが多い。湾曲した部分は、概して、どのセメント系材料または他の材料にもない領域を含む。突出した部分は、概して、セメント系材料を全体にまたは部分的に備えている。突出または湾曲した部分のいずれかを、さらに、内部の空洞領域と組み合わせてもよい。１つまたは複数の湾曲または突出した定形の領域は、物品上の機械的力を物品に沿ってより簡単に分散および分配することができ、したがって、局所化した応力の集中を最小限に抑え、物品全体の強度の完全性を保証するように設計されることが多い。いくつかの実施形態では、湾曲および／または突出した各領域の数、形状、および位置は、応力と見かけ密度の比が約１０％か、又は本明細書で説明する定形の領域なしで構築した同様の寸法の従来の物品に見られるよりも高い、本明細書で説明する物品を提供するように選択されてもよい。いくつかの実施形態では、湾曲および／または突出した各領域の数、形状、および位置は、応力と見かけ密度の比が約１５％か、又は本明細書で説明する定形の領域なしで構築した同様の寸法の従来の物品に見られるよりも高い、本明細書で説明する物品を提供するように選択されてもよい。追加の実施形態では、本明細書で説明する定形の領域なしで構築された従来の鼻隠しに見られるよりも、応力と見かけ密度の比が少なくとも２０％高い物品が提供される。さらなる実施形態では、本明細書で説明する定形の領域なしで構築された従来の鼻隠しに見られるよりも、応力と見かけ密度の比が少なくとも２５％高い物品が提供される。さらなる実施形態では、本明細書で説明する定形の領域なしで構築された従来の鼻隠しに見られるよりも、応力と見かけ密度の比が少なくとも３０％高い物品が提供される。
【００２９】
本明細書で説明する定形の領域は、応力と密度の比に事実上影響を及ぼすことなく、物品の質量および見かけ乾燥密度を低下させるように構成されてもよい。いくつかの実装形態では、定形の領域の数、構成、および配置は、質量を減少させながら、最終の物品の応力と見かけ密度の比を実際に改善するように選択される。他の実装形態では、定形の領域は、物品の質量を減少させ、同時に、物品の曲げ破壊係数（ＭＯＲ）および弾性係数（ＭＯＥ）を上昇させるように構成される。
【００３０】
上記で説明したように、本明細書で説明する、２つ以上のチャネルおよび／または２つ以上の中空の領域を有する物品の応力と密度の比は、同じ外寸の中実の物品（チャネルまたは中空の領域を有しない物品）と事実上同じでもよく、それを超えてもよい。１つまたは複数の実施形態では、本明細書で説明する物品の応力と見かけ密度の比は、８ＭＰａ／（ｇ／ｃｍ３）３を超える。いくつかの実施形態では、応力と見かけ密度の比は、１１．７９ＭＰａ／（ｇ／ｃｍ３）３、または約１１．７９ＭＰａ／（ｇ／ｃｍ３）３以上である。いくつかの実施形態では、応力と見かけ密度の比は、１２ＭＰａ／（ｇ／ｃｍ３）３または約１２ＭＰａ／（ｇ／ｃｍ３）３以上である。応力と密度の比などの特性は、パネルおよびボードとして形成された物品などの多くの物品が、建物に設置されたときに何らかの構造上の自己支持をもたらすので、多くの建物用の物品で重要である。したがって、中空の領域は、適切に配置されないときには、物品応力と密度の比および他の特性に潜在的にかつ悪い方に影響を及ぼす可能性がある。本明細書で説明する物品の見かけの応力と密度の比は、概して、（本明細書で説明する定形の領域を欠いた）繊維補強した従来のセメント系建材と比べて高い。いくつかの実施形態では、飽和ＭＯＲ値（単位はＭＰａ）と絶乾密度（単位はｇ／ｃｍ３）の３乗（密度の３乗）の比は、約７ＭＰａ／（ｇ／ｃｍ３）３を超える。いくつかの実施形態では、この値は、約７．５ＭＰａ／（ｇ／ｃｍ３）３を超えるか、または約８ＭＰａ／（ｇ／ｃｍ３）３を超える。いくつかの実施形態では、ＭＯＲと密度の３乗の比は、約９ＭＰａ／（ｇ／ｃｍ３）３を超えるか、または約１０ＭＰａ／（ｇ／ｃｍ３）３を超えるか、または約１１ＭＰａ／（ｇ／ｃｍ３）３を超えるか、または約１２ＭＰａ／（ｇ／ｃｍ３）３を超える。絶乾密度は、ＡＳＴＭ  Ｃ５６７およびＣ１１８５に従って測定される。ＭＯＲの測定は、厚さ１インチの物品に関して試験片の長さが最小で１８インチ必要である、ＡＳＴＭ  Ｃ１１８５に基づいている。
【００３１】
１つまたは複数の実施形態では、中空の領域を合わせると、物品の見かけ体積の約３０％未満を占めており、または物品の見かけ体積の約２８．３％を占めていてもよく、または見かけ体積の約２５％以下を占めていてもよい。
【００３２】
本明細書で説明する物品に関するいくつかの代表的であり適切な構成を図１〜図１８および図２１〜図２４に示す。各図は、１つまたは複数の定形の部分を有する１つまたは複数の物品を示し、それらの定形の部分は、内側に湾曲し、外側に突出し、かつ／または、内部の空洞部分もしくはキャビティを物品中に含んでいる。多くの実施形態では、定形の領域は、その幅および／または長さに沿って物品全体に及ぶ。湾曲し、突出し、かつ／または空洞領域が２つ以上あるときは、前記領域は、以下でさらに示し、説明するように、同じ形状を有してもよく、異なる形状を有してもよい。
【００３３】
図１は、それぞれ物品の長さに及ぶ空洞領域として２つ以上のチャネル１２を有するように形成されたときの、代表的な物品１０の代表的な概略斜視図（１Ａ）および概略端面図（１Ｂ）である。図は、それぞれ異なる形状の空洞領域を示す。代表的な形状は、円形、三角形、楕円形、正方形、または他の多角形を含み、それらのうちのいくつかが図に示されている。図では、空洞領域は、概して、それぞれほぼ等しい間隔をあけて配置されており、最も外側の各定形の領域は、側方の縁部からそれぞれほぼ同じ距離の位置にある。いくつかの実施形態では、チャネルは、物品の長さ全体に及んでいてもよい。他の実施形態では、チャネルは、物品の一部分にしか及ばず、概して、物品の少なくとも一方の端部に開口部を形成する。いくつかの実施形態では、チャネルは、物品の両端に開口部を設ける。代替の実施形態では、チャネルは、同じ形状を有しなくてもよく、連続のパターンまたは不連続のパターンであってもよい。
【００３４】
図２は、２つ以上の空洞領域２３を有するように形成された物品２０の代表的な概略斜視図（図２Ａ）および概略端面図（図２Ｂ）であり、それぞれの空洞領域２３は、同じ一般的な形状を有する。代替の実施形態では、チャネルは、同じ形状を有していなくてもよく、連続のパターンまたは不連続のパターンであってもよい。いくつかの実施形態では、チャネルは、物品の長さ全体に及んでいてもよい。他の実施形態では、チャネルは、物品の一部分にしか及ばず、概して、物品の少なくとも一方の端部に開口部を形成する。いくつかの実施形態では、チャネルは、物品の両端に開口部を設ける。
【００３５】
図３は、２つ以上の空洞領域３３を有するように形成された物品３０の代表的な概略斜視図（図３Ａ）および概略端面図（図３Ｂ）である。図示の複数の空洞領域は、第１の形状を有する最も外側の定形の領域と、第２の形状を有する中心の空洞領域とを含んでいる。
【００３６】
図４は、それぞれが同じ一般的な形状を有する、２つ以上の空洞領域４５を有するように形成された物品４０の代表的な概略斜視図（図４Ａ）および概略端面図（図４Ｂ）である。図４には、図２または図３よりも多くの空洞部分がある。図４の形成した物品の幅および／または厚さは、図２または図３のいずれかのものと同じでもよく、それを超えてもよく、それ未満でもよい。
【００３７】
図５Ａおよび図５Ｂは、２つ以上の空洞領域５６を有するように形成された物品５０の代表的な概略斜視図（図５Ａ）および概略端面図（図５Ｂ）である。複数の空洞領域は、１つおきの空洞部分が第１の形状であり、隣間の空洞部分が第２の形状であるという一般的なパターンを形成することで、見かけ上のパターンを形成している。図５には、図２または図３または図４よりも多くの空洞部分がある。図５の形成された物品の幅および／または厚さは、図２、図３、または図４と同じでもよく、異なっていてもよい。
【００３８】
図５Ｃは、図５Ａまたは図５Ｂに示すよりも少ない空洞領域５６を有する、形成された物品５０の代表的な概略端面図である。図５Ｃの形成された物品の幅および／または厚さは、図５Ａまたは図５Ｂのものと同じでもよく、異なっていてもよい。
【００３９】
図６は、２つ以上の空洞領域６４を有するように形成された物品６０の代表的な概略斜視図（図６Ａ）および概略端面図（図６Ｂ）であり、それぞれの空洞領域６４は、同じ一般的な形状を有する。図６には、図２、図３、図４、または図５よりも空洞部分が少ない。図６の形成された物品の幅および／または厚さは、図２、図３、図４、または図５のものと同じでもよく、異なっていてもよい。
【００４０】
図６Ｃは、図６Ａまたは図６Ｂに示すよりも少ない空洞領域６４を有するように形成された物品６０の代表的な概略端面図である。図６Ｃの形成された物品の幅および／または厚さは、図６Ａまたは図６Ｂのものと同じでもよく、異なっていてもよい。
【００４１】
図７は、２つ以上の空洞領域７２を有するように形成された物品７０の代表的な概略端面図である。図中の複数の空洞領域は、等間隔に間隔をあけて配置されているように示されている。こうした等しい間隔は必ずしも不可欠なものとは限らない。
【００４２】
図８は、２つ以上の空洞領域８２を有するように形成された物品８０の代表的な概略端面図である。複数の空洞領域は、パターンに見えるものを形成し、第１の定形の領域８２と第２の定形の領域８４を含んでおり、第１の形状が第２の形状に続いて配置されることで、見かけ上のパターンが繰り返される。
【００４３】
図９は、２つ以上の空洞領域９４を有するように形成された物品９０の代表的な概略端面図である。複数の空洞領域は、第１の形状を有する最も外側の空洞領域と、異なる第２の形状を有する中心の空洞領域とを含んでいる。
【００４４】
図１０は、２つ以上の空洞領域１０２を有するように形成された物品１００の代表的な概略端面図である。それぞれの空洞領域は、同じ一般的な形状を有し、概して互いから等しい間隔をあけて配置されている。図１０には、図７よりも多くの空洞部分がある。図１０の形成された物品の幅および／または厚さは、図７のものと同じでもよく、異なっていてもよい。
【００４５】
図１１は、２つ以上の空洞領域１１２を有するように形成された物品１１０の代表的な概略端面図である。空洞領域はそれぞれ、同じ一般的な形状を有し、概して等間隔をあけて配置されている。図１１には、図４よりも多くの空洞部分がある。図１１の形成された物品の幅および／または厚さは、図４のものと同じでもよく、異なっていてもよい。
【００４６】
図１２は、２つ以上の湾曲した領域（例えば、１２２および１２３）と、２つ以上の突出した領域（例えば、１２４、１２６、および１２８）とを含む、２つ以上の定形のチャネルを有するように形成された物品１２０の代表的な概略斜視図（１２Ａ）および概略端面図（１２Ｂ）である。この実施形態では、一部の定形のチャネルは形状およびサイズが互いに似ているが、他のものは一様でない。図１２Ｃは、構成が図１２Ａおよび図１２Ｂと同様である、形成された物品の別の代表的な概略端面図である。
【００４７】
図１３は、２つ以上の湾曲した領域（例えば、１３４および１３６）と、２つ以上の突出した領域（例えば、１３２および１３８）とを含んでいる、２つ以上の定形のチャネルを有するように形成された物品１３０の代表的な概略斜視図（１３Ａ）および概略端面図（１３Ｂ）である。さらに、図１３は、それぞれ空洞領域（例えば、１３１および１３３）を形成する、２つ以上の定形のチャネルを有する。図１３の一部の空洞領域は、互いに同様の一般的な形状を有している。図１３Ｃは、構成が図１３Ａおよび図１３Ｂと同様である、形成された物品の別の代表的な概略端面図である。図１３Ｃでは、空洞領域はそれぞれ、概して、互いに同様の形状を有する。
【００４８】
図１４は、２つ以上の湾曲した領域（例えば、１４４）と、２つ以上の突出した領域（例えば、１４５、１４６、１４７）とを含んでいる、２つ以上の定形のチャネルを有するように形成された物品１４０の代表的な概略端面図である。図１４は、２つ以上の内部の空洞領域（例えば、１４２、１４３、および１４８）を備えている定形のチャネルも示している。この実施形態では、空洞のチャネルは、互いに形状およびサイズが一様でない。突出した領域および逆転したチャネルも互いに形状およびサイズが一様でない。
【００４９】
図１５は、２つ以上の定形のチャネル（例えば、１５２、１５３、１５５）を有する物品１５０の代表的な概略斜視図である。この実施形態では、チャネルのうちの１つが、突出した領域１５４から形成されている。
【００５０】
図１６Ａおよび図１６Ｂは、端部に２つ以上の開口部１６２を有するように形成された物品１６０の代表的な概略端面図である。それぞれの開口部は、開口部内に嵌まるように構成された、断面で示されたインサート１６４を含む。インサートは、本明細書で説明する、形成した物品の少なくとも一方の端部に配置されてもよい。図１６Ａおよび図１６Ｂの両方で、インサートはそれぞれ、断面図では同じ一般的な形状を有するように示されている。追加の実施形態では、いくつかのインサートは、異なる断面形状を含んでいてもよい。さらに、いくつかの実施形態では、全ての開口部が常にインサートを必要とするとは限らず、または含むとは限らない。
【００５１】
図１７Ａおよび図１７Ｂはそれぞれ、一方の端部に２つ以上の開口部１７２を有するように形成された物品１７０の代表的な概略端面図を示す。それぞれの開口部は、開口部に嵌まる、断面で示された定形のインサート１７４を含んでいる。それぞれのインサートは、配置されたときに、形成した物品の少なくとも一方の端部にある。図１７Ａおよび図１７Ｂの両方において、それぞれのインサートは、互いに同じ一般的な形状を有するように示されている。追加の実施形態では、いくつかのインサートは互いに異なる形状を含んでいてもよい。全ての開口部がインサートを必要とするとは限らず、または必ずしも含んでいるとは限らない。
【００５２】
図１８は、物品幅に沿って切断したときの物品１８０の一方の端部の一部分のみを示す。その図は、２つ以上のインサート１８２を示す。それぞれのインサートは、互いに同じ一般的な形状を有しており、物品１８０の空洞部分１８４中に配置されている。それぞれの空洞部分は、図中では、互いに同じ一般的な形状を有している。空洞部分１８６はインサートを含んでいない。追加の実施形態では、いくつかの空洞領域が互いに異なる形状であってもよく、かつ／または、数個かもしくはそれ以上の空洞領域がインサートを含んでいてもよい。
【００５３】
物品は、用意されたときに、一体の構造を有し、それにより、物品は、１つまたは複数の層、シート、またはレイヤを積層することによって構成または形成されるものではない。
【００５４】
本明細書で説明する物品の飽和時の曲げ破壊係数（ＭＯＲ）は、概して、約４ＭＰａを超える。いくつかの実施形態では、物品の飽和ＭＯＲ値は、約７ＭＰａを超えるか、または約８ＭＰａを超える。いくつかの実施形態では、物品の飽和ＭＯＲ値は、約１０ＭＰａを超える。例えば、鼻隠しとして形成された物品の外気温でのＭＯＲは、約６から９ＭＰａでもよい。飽和時には、形成した鼻隠し物品のＭＯＲは、約６．２から約９．９ＭＰａであるか、またはいくつかの実施形態では９．９を超える。別の例では、鼻隠しとして形成された物品の外気温でのＭＯＲは、約７．６から約８．７ＭＰａでもよい。さらなる例では、同様に形成した物品の場合のＭＯＲは、８．７ＭＰａ以上でもよい。
【００５５】
本明細書で説明する物品の弾性係数（ＭＯＥ）は、概して、約７ＧＰａ未満であり、約６．５ＧＰａ未満であることが多い。いくつかの実施形態では、ＭＯＥは、約６ＧＰａ未満、または約４ＧＰａ未満、または約３．５ＧＰａ未満である。例として、鼻隠しとして形成された物品は、飽和ＭＯＥは約３．２から約４．７ＧＰａでもよい。さらなる例では、同様に形成した物品のＭＯＥは４．７ＧＰａを超えてもよい。
【００５６】
多くの実施形態では、物品は、用意したときに、見かけ密度が約０．７７であり、そのため、物品の飽和ＭＯＲ値が約９．１ＭＰａ、飽和ＭＯＥ値が約５．７ＧＰａになる。別の実施形態では、物品の飽和ＭＯＲ値は、約６．５ＭＰａ、飽和ＭＯＥ値は約５．４ＧＰａである。さらに他の例を表２に提示する。
【００５７】
ＭＯＲ、ＭＯＥなど、新規の物品の性能パラメータは、ＡＳＴＭ  Ｃ１１８５またはその改訂版によって特徴付けられる。
【００５８】
上記で説明した定形のプロフィルを使用すること、および／または、物品に少なくとも１つのさらなる補強材を追加することによって、本明細書で説明する物品の扱い易さが改善される。適切なさらなる補強材は、メッシュ、フィラメント、ファブリック、フィルム、およびフォームの形態でもよい。さらなる補強材に使用される材料の例は、それらに限定されないが、木材、木質複合材、プラスチックまたはプラスチック複合材（例えば、ポリプロピレン、ナイロン）、ガラス、ポリマーフォーム、繊維、金属（例えば、アルミニウム）、およびそれらの組み合わせを含む。実施形態の１つでは、さらなる補強材は、メッシュまたはファブリックであり、それらは、織物または不織物とすることができるが、好ましくは、正多角形または円形の開口部を有する。さらなる補強材はまた、中空の繊維を備えていてもよい。いくつかの実施形態では、さらなる補強材の破壊時の伸びは２０％以下である。別の実施形態では、さらなる補強材は、厚さが少なくとも１／４インチの補強レイヤを備えている。選択されるときには、さらなる補強材料は、高い耐アルカリ性、高いＵＶ抵抗性、長期間の耐久性、耐火性などの特性を含んでいてもよく、所定の引っ張り強度を有するべきである。１つまたは複数の実装形態では、本明細書で説明する物品にさらなる補強材を使用することにより、さらに長い物品の作製にとって、輸送期間中および据え付け中の破損を避けることが可能になる。
【００５９】
さらなる補強材を有する物品を作製する際には、物品は、物品に埋め込まれたさらなる補強材料を含んでいてもよい。さらなる補強材料は、埋め込まれたときに、物品の長さ全体に及んでいてもよい。さらなる補強材料は、埋め込まれたときに、物品内のどの深さに埋め込んでもよく、物品の表面からは概ね見えない。さらに、または代替として、物品は、物品内に形成した１つまたは複数のキャビティと、そのキャビティ中に配置したさらなる補強材料とを含んでもよい。さらなる補強材料は、さらなる補強材のない等価の物品と比べて曲げ強度がさらに高い物品を提供するように選択される。さらなる補強材は、長さ約８フィート以上、または約８フィート以上、または約１２フィート以上で、かつ厚さ約３／４インチ以上、または厚さ約１インチ以上の物品に設けられることが多い。
【００６０】
図２２に、さらなる補強材料を配置するための複数のキャビティ２２２を有する物品２２０を一般的な形態で示す。それらのキャビティは、物品の長さ全体に及んでいてもよい。実施形態の１つでは、さらなる補強材料は、連続の補強繊維の形態である。さらなる追加の補強材料が、キャビティ中に存在してもよい。さらに、または代替として、いくつかの実施形態では、キャビティはそれぞれ、同じまたは異なるさらなる補強材料を有していてもよい。図２２に、概ね互いに同じ形状のものであり、概ね互いから等しい距離をあけて配置されている、内部の空洞領域としていくつかのチャネル２２４を有する物品２２０を示す。他の実施形態では、空洞領域は、互いに同じ形状またはサイズである必要はない。この実施形態では、内部にさらなる補強材料を有するキャビティ２２２が、空洞領域の近くに配置されている。キャビティ２２２は、この実施形態では、互いから、物品の空洞領域から、かつ側方の縁部から等しい距離だけあけて配置されているように示されている。他の構成は、所望の通りに作製してもよい。
【００６１】
図２３は、さらなる補強材料２３４を物品内に有する物品２３０を一般的な形態で示す。さらなる補強材は物品に埋め込まれている。さらなる補強材は、物品の上側表面から特定の深さにあるように示されているが、実際にはどの深さに埋め込まれていてもよい。通常、さらなる補強材は、埋め込まれたときに、物品中、またはその上に配置された定形の領域と干渉していない。実施形態の１つでは、さらなる補強材は金属メッシュである。図２３では、物品２３０はさらに、概ね互いに同じ形状であり互いから等しい距離をあけているように示された、いくつかの空洞領域２３２を含む。それらのさらなる補強材は、各空洞領域から等しい距離の位置に配置されているように示されている。追加の構成は、所望の通りに準備してもよい。
【００６２】
実際には、内部に１つまたは複数の定形の領域を有するある物品が、内部に１つまたは複数の定形の領域を有する第２の物品と協働してもよい。形態の１つでは、２つの物品が一緒に働くときに協働が起きる。互いに直接隣接する２つの物品が位置合わせおよび／または接合されたときに協働が起きてもよい。１つまたは複数のインサートの使用によって協働が補われてもよい。インサートは、本明細書で説明する物品の側壁に形成された開口部と係合するように設けられる。通常、インサートの一方の端部が、第１の物品の第１の端部で概して中空の領域の形態である、開口部内に配置されている。インサートの他方の端部は、少なくとも１つの端部にある、隣接する第２の物品の（概して中空の領域の形態の）開口部内に配置されている。形成された２つの物品の端部開口部がインサートなどによって位置合わせされるときに、それらの２つの物品は互いに接合される。したがって、物品の端部開口部は、第２の物品と協働できるようにインサートを受けるように適合されていることが多い。この例では、インサートは、隣接する２つの物品を互いに固定するように働く。所望のときには、インサートにより、現場で（例えば、建物で）別の物品に隣接して配置されたときに、２つ以上の物品の間で継ぎ目のない外観が可能になる。インサートの１つまたは複数の形態は、物品上にある１つまたは複数の端部開口部を閉じるように働いてもよい。
【００６３】
本明細書で説明するインサートの様々な形状が図１８〜図２１および図２４に示されており、これらは非限定的な例として役立つ。隣接する物品は、インサート１つだけ有してもよく、図１８、図２１Ａ、図２１Ｂ、および図２４に示すように複数のインサートを有してもよい。図１８、図２１Ａ、および図２１Ｂはそれぞれ、少なくとも１つの端部開口部にインサートを有する、１つまたは複数の代表的な物品の一部分を示す。図２１Ｂおよび図２４は物品を２つ示す。図２４では、物品２４２および２４３は、互いに隣接して配置されており、２４５として示す２つ以上のインサートがそれぞれ嵌められている。１つまたは複数のインサートを受けるための様々な代表的な端部開口部は、図１〜図１１、図１３〜図１７、図２１Ａ、図２１Ｂ、および図２２〜図２４に示されており、これらは非限定的な例として供給する。
【００６４】
本明細書ではコネクタとも称するインサートが、任意の適切な材料から作製されてもよく、複合材料製でもよい。コネクタを作製するのに使用される材料の代表的な例は、これらに限定されないが、金属、プラスチック、ゴム、フォーム、木材、形成可能なスポンジなどを含む。コネクタは、通常、本明細書で説明する物品の中空の領域に簡単に挿入できる形状を有するように設計されている。コネクタは、開口部に挿入されるときに、概ね良好に嵌まり、固定されており、したがって引き出しにくい。いくつかの形態では、コネクタは、１つまたは複数のプラグによってさらに固定されてもよい。図示していない追加のコネクタの形状も適切である。本明細書で説明する物品の少なくとも１つの端部開口部は、横に並べて配置された隣接する２つの物品を互いに接合するように構成されたコネクタを受けるように設けられる。１つまたは複数の実施形態では、コネクタは、物品の開口部とさらに係合するセルフロック機構または固定／係合／捕捉機能を有する。ある特定の実装形態では、コネクタは、物品を通して空気が流れることが可能であるか、または水（例えば、水分）が開口部の内部から流出できるように内部に構成されたチャネルを有している。
【００６５】
１つまたは複数の定形の領域を有する物品を、空洞があっても、突出していても、または湾曲していても、エンドキャップと嵌めることができる。物品の一方の端部のみ、または物品の両方の端部が、エンドキャップを含んでいてもよい。エンドキャップは、物品の端部全体を覆っていてもよく、その一部分のみを覆っていてもよい。エンドキャップは、通常、物品の端部に存在する１つまたは複数の中空の領域を閉じるかまたはシールするようにデザインされている。エンドキャップは、水が物品の内装に達しないことを助けるようにして形成されていてもよい。エンドキャップを、虫が内部で巣を作らないこと、または水が物品中にその端部で入り込まないことを助けるために使用してもよい。エンドキャップは、端部の一部分のみのためのものであり、したがって、物品の端部にある開口部を１つだけ、またはいくつかの開口部を閉じるのに有効であってもよく、あるいは、全ての開口部および空洞領域が単一にエンドキャップで閉じられるように、物品の端部全体に嵌まるようにデザインされていてもよい。一例では、エンドキャップは、物品の端部で開口部または空洞領域に部分的に嵌まるインサートと同様に形成された特徴を含んでいてもよい。
【００６６】
エンドキャップの例を図２５および図２６に示す。これらの両方の図は、端部にインサート似の特徴を複数含む単一のエンドキャップを示す。図２５は、本明細書で説明する物品の端部と面一に嵌まり、概ね物品の端部全体に嵌まる、代表的なエンドキャップである。図２６は、本明細書で説明の物品の端部の周りに部分的に巻き付き、したがって、物品の端部全体に嵌まる、エンドキャップである。
【００６７】
図２７は、図２４と同様であり、物品の端部に配置された状態で示すエンドキャップを示す。物品は、エンドキャップが１つまたは複数の空洞領域に嵌まっている様子を示すために切り取られている。この図では、物品は、エンドキャップのインサート様の特徴物でふさがれていないいくつかの空洞領域を有する。
【００６８】
図２８は、物品の端部に配置されたときにやはり図２４と同様であり、物品の端部の周りに巻き付いた状態で示す、エンドキャップを示す。
【００６９】
エンドキャップは、例として金属、プラスチック、ゴム、フォーム、プラスチック、ポリマー複合材料、木材、形成可能なスポンジ材料などの任意の適切な材料または複合材料から作製されてもよい。いくつかの実施形態では、エンドキャップは、物品の色に合うように製造および／または塗装される。エンドキャップは、任意の所望の長さのものでもよい。エンドキャップの長さは、物品の幅全体に合っていてもよく、合っていなくてもよい。エンドキャップの適切な長さの範囲は、少なくとも約１インチから約１６インチの範囲を含む。エンドキャップの所望の寸法および追加の機能は、形成される物品の幅、物品の端部のかぶせられる部分の厚さ、および／またはかぶせられる被覆の数に応じて変わることが多い。
【００７０】
本明細書で説明する物品は釘打ち可能である。釘打ち可能である特性には、物品の厚さが反映されてもよく、所与の釘の構成が、その厚さを通して、（例えば、釘が、物品の縁部からある距離だけ離れた位置で外面と面一に提供されるときに）物品へのひび割れまたは分裂などの損傷を引き起こすことなく押し込まれてもよい。釘打ち可能であることは、釘の貫通、釘の引き抜き、および横方向の釘の抵抗も特徴とする。釘打ち可能である物品は、釘打ち不能であるものよりも簡単に速く据え付けられる。本明細書で説明する物品に関しては、標準の釘打ち機を使用してもよい。釘打ち不能な製品は、ねじを使って据え付ける必要があり、したがって、穿孔、および／または何らかのタイプのクリップもしくはフックが必要であり、したがって、より長い時間が必要であり、統一性が低減される。本明細書で説明する物品の据え付けは、電気式または空気圧式の釘打ち機など、自動のデバイスを使って行ってもよい。本明細書で説明する物品が釘打ち可能であることは、例えば、自動のデバイスによって据え付けられた釘がそれぞれ、釘打ち機のある範囲の圧力設定または多数の調節を必要とすることなく、正確であり視覚的に満足する高さに設けられることを意味する。
【００７１】
本明細書で説明する定形の物品を形成するには、水硬性結合剤、１つまたは複数の繊維源、熱可塑性薬剤ありまたは熱可塑性薬剤なしの１つまたは複数のシリカ源を含む配合物が必要である。水硬性結合剤は、単一の材料またはセメントなどの複合材料でもよい。結合剤の例には、これらに限定されないが、ポルトランドセメント、高アルミナセメント、石膏、石灰、高炉スラグなどならびにそれらの組み合わせが含まれる。水硬性結合剤は、概して、配合物の約２０重量％から約８０重量％に相当する。いくつかの実施形態では、水硬性結合剤は配合物の約３０重量％を超える。他の実施形態では、水硬性結合剤は配合物の約３８重量％を超える。いくつかの実施形態では、水硬性結合剤は、７０重量％未満であるか、または配合物の６０重量％未満であるか、または配合物の約５０重量％未満である。結合剤は、配合物に、したがって形成された物品に、色を加える１つまたは複数の材料を含んでいてもよい。さらに、または代替として、配合物は、色調、または色調を提供するかもしくは混合したときに配合物の色を変える材料含んでいてもよく、それにより、形成された物品に色付けするかまたはその色を変更する。
【００７２】
本明細書で説明する配合物で使用される繊維は、漂白でも無漂白でもよい、セルロース繊維など、植物または木材をベースとした繊維を含んでいてもよい。選択される植物または木材ベースの繊維は、概して、中空であり、軽量であり、多次元であり、形成した物品のマトリックス中にあるときは優秀な強度補強材を提供する。繊維の寸法は、製品の特定の釘打ち可能性、密度、および靭性を実現するためにあらかじめ選択されてもよいことが分かっている。繊維の長さは約０．０５ｍｍから約５ｍｍでもよい。いくつかの実施形態では、繊維の長さは約３ｍｍ未満である。繊維の長さは、いくつかの実施形態では、約１ｍｍを超える。繊維の直径は、概して、約５μｍと１５０μｍの間である。本明細書で使用する繊維は、繊維の表面または隣接するセメント系マトリックスの上または近くにおいて、カビ、バクテリア、藻類、または苔癬の成長を遅らせる１つまたは複数の殺生物剤で最初に処理してもよい。本明細書で使用する繊維は、水による損傷を低減するために最初に１つまたは複数の撥水剤で処理してもよく、それにより、セメント系マトリックスへの水の浸入が制限される。殺虫剤および／または撥水剤は、代わりにまたはそれに加えて、あらかじめ処理した繊維に使用する代わりに配合物（例えば、混合物）に加えてもよく、あらかじめ処理した繊維の使用に加えて配合物（例えば、混合物）に加えてもよい。
【００７３】
本明細書で説明する配合物のための繊維はさらに、融点が高いポリマーベースの合成繊維を含んでいても含んでいなくてもよい。融点が高いポリマー繊維の例は、ポリプロピレン、ポリビニルアルコール、アラミドなどである。ポリマー繊維は、木材ベースの繊維よりも粘弾性の性質が高いことが多く、したがって、形成されたときの繊維セメント物品に高い可撓性および良好な性能の特徴を提供することができる。発明者らには、仕上げ物品中にあるときに繊維の完全性に影響を及ぼすことなく、繊維の融点よりも高いオートクレーブ温度を、本明細書で説明する配合物のために使用してもよいことが分かっている。例えば、あるポリプロピレン繊維の融点が１６０℃であるが、繊維補強材への明らかな影響なしに、１７０℃、または１７５℃、または１８０℃の温度を含む、融点温度よりも高いオートクレーブの温度を利用することができる。その繊維は、炭素繊維、耐アルカリガラス繊維など、無機の繊維をさらに含んでいてもよい。無機の繊維は、使用時には、メッシュ、マット、または連続した構成の形態でもよい。
【００７４】
本明細書で説明する配合物では、シリカ源は、例として粉砕シリカ、シリカフューム、フライアッシュ、スラグ、粘土など、およびそれらの様々な組み合わせを含む、１つまたは複数の骨材を含んでいてもよい。配合物のシリカ源は、概して、約１０重量％から約７０重量％である。いくつかの実施形態では、シリカ源は約２０重量％を超える。他の実施形態では、約３０重量％を超える。さらなる実施形態では、シリカ源は約６０重量％未満である。シリカ源は、約５０重量％でもよく、約５０重量％未満でもよい。シリカ源は、物品の凝固および／または硬化に影響を及ぼすこともあるマトリックスの強度を改善するように粉砕されてもよい。いくつかの実施形態では、粉砕粒子の表面積は、約５００ｍ２／ｋｇ以下でもよく、約４５０ｍ２／ｋｇ以下でもよい。追加の実施形態では、粒子の表面積は、粉砕時は、約４００ｍ２／ｋｇ未満でもよい。いくつかの実施形態では、粒子は、約３８０ｍ２／ｋｇでもよく、約３８０ｍ２／ｋｇ未満でもよい。
【００７５】
多くの実装形態では、本明細書で説明する配合物はさらに、１つまたは複数の低密度添加剤を含んでいる。低密度添加剤は、代表的な例としてセノスフェア、独立気泡の膨張パーライト、開放気孔の膨張パーライト、珪酸カルシウム水和物、フライアッシュ、有機または無機のミクロスフェア、およびそれらの様々な組み合わせのうちの１つまたは複数でもよい。１つまたは複数の低密度添加剤を取り入れることは、マトリックスの真密度を低下させ、したがって、形成時の物品の見かけ密度の低下に貢献することが分かっている。
【００７６】
１つまたは複数のセメント促進剤が、本明細書で説明する配合物に含まれてもよい。促進剤は、珪酸カルシウム水和物、硝酸カルシウム、塩化カルシウム、硝酸ナトリウム、ヘキサメチレンテトラミン、繊維セメント製品のリサイクル粉末、低密度添加剤など、およびそれらの様々な組み合わせに相当してもよい。促進剤は、未硬化の繊維セメント物品として形成されるときに物品がより速く固化および凝固できるようにする、速く固化する能力を有していてもよい。その能力により、さらに、未硬化の物品に損傷を与えることなく、加工後の未硬化の物品をうまく扱うことができる。促進剤は、硬化促進剤（ｆａｓｔ  ｃｕｒｉｎｇ  ａｇｅｎｔ）でもよい。急速に硬化することで、工程時間が短縮され、したがって、コストが削減され、形成した製品を迅速に製造および使用することができる。硬化した製品に形成される化学的な様相を変更し、したがって、最終製品の変更された性能および／または所望の性能をもたらすように促進剤を選択してもよいことが分かっている。
【００７７】
本明細書で説明する配合物はさらに、１つまたは複数の増粘剤または加工強化剤（ｐｒｏｃｅｓｓ  ｅｎｈａｎｃｉｎｇ  ａｇｅｎｔ）を含んでいてもよい。増粘剤は、メチルセルロース、ヒドロキシエチルセルロース、セルロースエーテル、または他の適切な化合物など、可塑剤、超可塑剤、分散剤、または濃縮剤のうちの１つまたは複数から選択されてもよい。増粘剤または加工強化剤は、製造中に混合工程および形成工程を助ける。
【００７８】
さらに、本明細書で説明する配合物は、１つまたは複数の発泡剤、または空気捕捉剤（ａｉｒ  ｅｎｔｒａｐｐｉｎｇ  ａｇｅｎｔ）、または吹き込み剤（ｂｌｏｗｉｎｇ  ａｇｅｎｔ）、および／または気泡安定剤を含んでいてもよい。製造中に物品のマトリックスにガスポケットを取り入れるのを助ける化合物または化学物質は、発泡剤または吹き込み剤と考えられてもよい。例には、代表的な例として、炭酸カルシウム水和物、重炭酸ナトリウム、アルミニウム粉末など、ガスまたはガスを発生する材料が含まれる。こうした材料は、通常、熱または水分によって活性化され、二酸化炭素または水素などのガスをマトリックス中に放出され、したがって、上記で説明した１つまたは複数のガスポケットまたはボイドが取り入れられ形成される。いくつかの実施形態では、ボイドは、さらにまたは代替的に、空気捕捉剤があってもなくても、空気またはガスの存在下で、激しく混合することなど、機械的な空気の連行によって物品に組み込まれてもよい。
【００７９】
ここまで説明した配合物は乾燥質量ベースである。さらに、配合物に水が乾燥質量ベースで配合物の重量の約７５％未満の量だけ追加される。多くの実施形態で、水の含有率は、配合物の５０％未満であるか、または４０％未満であるか、または３０％未満である（乾燥重量に基づく）。
【００８０】
１つまたは複数の本明細書で説明する物品を作製するのに有効な代表的な構成要素および変更形態を表１に提示する。
【００８１】
【表１】
2012522916.tif 000003
【００８２】
表１に提示したものなど様々な実施形態の場合に、セメントは、一例として、ポルトランドセメントの形態でもよい。珪質物は、一例として、シリカまたは砂の形態でもよい。繊維は、一例として、セルロースパルプおよび／または設計された繊維の形態でもよい。他の骨材は、一例としてフライアッシュの形態でもよい。分散剤または濃縮剤は、一例として、メチルセルロースおよび／またはヒドロキシエチルセルロースの形態でもよい。可塑剤は、一例として超可塑剤でもよい。
【００８３】
表２は、本明細書で説明する代表的な３つの物品に関する、見かけ密度、飽和ＭＯＲ、および飽和ＭＯＥを提示する。
【００８４】
【表２】
2012522916.tif 000004
【００８５】
物品Ａは、約４０〜４９重量％のセメント、３０〜３８重量％のシリカ源、７〜９重量％のハンマーミルで粉砕したセルロース繊維、０．５〜３重量％の合成繊維、８〜１１重量％の低密度添加剤、および３重量％未満の増粘剤を含む配合物で作製された。物品ＢおよびＣは、約４５〜５０重量％のセメント、３０〜３５重量％のシリカ源、７重量％未満のハンマーミルで粉砕したセルロース繊維、３重量％未満の合成繊維、１２〜１９重量％の促進剤、および２重量％未満の増粘剤を含む配合物を用いて作製された。全ての配合物において、シリカ源は、平均表面積が４００ｍ２／ｋｇ未満の粒子を生成するように粉砕された。全ての配合物において、セメント中のカルシウムとセメント中のシリカの比は、５０：５０から６０：４０の範囲であった。
【００８６】
物品は、キャスト成形、モールド成形、押し出し成型、フローオン成形、または一体構造の構造物を形成するための他の同様の方法のうちの１つによって加工される。したがって、原料は、使用する工程によって必要に応じて修正してもよい。どんな工程の場合でも、原料は、しっかりと混合されて、均一の混合物を形成する。原料は全て、最初に取り入れられてもよく、一部の原料は、工程（例えば、連続する工程）中に配合物に取り入れられてもよい。押し出し成形を含むいくつかの方法では、原料は、同じ工程ステップ中に、取り入れられ、混合されてもよい。次いで、混合物が形成されて、一体の構造の未硬化の物品になる。未硬化の物品は、水硬性結合剤から構成された、まだ硬化していない配合物から形成された物品である。
【００８７】
多くの実施形態に関して、物品が押し出し成形によって加工される。押し出し成形では、ある特定の型の設計を利用して１つまたは複数のあらかじめ形成された中空領域を形成することができる。キャスト成形、モールド成形のときに、またはフローオン成形方法を利用するときに、使用されるモールド型または成形型は、物品の１つもしくは複数の中空領域または１つもしくは複数のチャネルを画定する、あらかじめ形成された形状を有するインサートを収容してもよい。
【００８８】
１つまたは複数の実施形態では、工程の一部または全部は、マトリックス内のガスポケットまたはボイドが選択されたガスを含み形成されることを保証するように、窒素または二酸化炭素の環境内など、制御した環境で実行されてもよい。選択された環境を有することが、予備硬化、急速固化、プレカーボネーション（ｐｒｅ−ｃａｒｂｏｎａｔｉｏｎ）またはその他の特性など、工程のある特定の特性を助ける。
【００８９】
硬化を助け、かつ／またはガスポケットの形成を誘発するために、任意選択で、熱が取り入れられてもよい。任意選択で、工程の温度を、硬化またはガスポケット形成の誘発を遅らせるのを助けるために、低下させてもよい。吹き込み剤および／または発泡剤が配合物に含まれているときは、ガスポケットは、機械的な混合によって、または工程中に取り入れられる外部の熱源を追加することによって、工程中に自然に発生することがある。
【００９０】
いくつかの実施形態では、未硬化の物品は、形成後に仕上げられてもよく、その仕上げは、未硬化の物品をエンボス加工、プレス加工、スタンピング、ブラッシングなどにかけて、所望の表面仕上げ、表面デザイン、および／または表面効果を取り入れることを含んでもよい。未硬化の物品が、概して、空気硬化、オーブン硬化、および／またはオートクレーブ硬化の工程によって固化および硬化して、最終の物品が作られる。いくつかの実施形態では、サンディング、カッティング、機械加工、またはブラッシングを、所望に応じて、さらなる効果のために、硬化後に物品の表面に施してもよい。
【００９１】
物品を製造する代表的な方法が図３０に示されている。ボックス３０２では、原材料が選択され、既知の混合方法に従って原材料を混合することによってペーストが形成される。実施形態の１つでは、次に、そのペーストは、１軸または２軸の押し出し成型機を用いて加工される。ボックス３０４では、型が配置され、１つまたは複数の中空領域またはプロフィルが、一体構造の材料の表面上またはその材料内に作られる。中空領域は、型に中空構造の形成器を用いて形成されてもよい。より長い形成器を組み込むときは、増設部分が、平滑加工またはテクスチャード加工できる表面仕上げの改善を助けてもよい。定形の領域又は中空の領域は、材料が未硬化の定形の物品として形成された後で、一体構造の材料に形成されてもよい。例えば、定形の領域は、物品が形成された後で、または物品が硬化した後で、領域にドリルまたはルータで穿孔することによって形成されてもよい。いくつかの実施形態では、ペーストにボイドおよび有孔構造を生成するために、空気が注入によって取り入れられる。さらに他の実施形態では、発泡剤および／または気泡安定剤は、追加として、または代替として、より小さいサイズのボイドの生成を促進し、ボイドの均質な分配を促進するために追加される。ボックス３０６では、物品は、モールド成形などで形成されるか、または押し出し成型される。材料が型から出るときに、表面仕上げが物品に施されてもよい。いくつかの実施形態では、エンボス加工ローラ、プレス、サンダ、ブラシ、仕上げ機などのデバイスによって仕上げが施される。ボックス３０８では、一体構造のセメント系構造に関する当技術分野で知られたサイクルを用いて、物品を乾燥および硬化させる。質量が小さい物品の場合に乾燥工程に何らかの改変を行ってもよく、したがって、乾燥および／または硬化に必要な時間が短くなる。いくつかの形態では、本明細書で説明する物品は、硬化したときに細長くなっている。ボックス３１０では、形成された物品は、任意選択で切断され、かつ／またはさらに必要に応じてまたは所望に応じてコーティングされる。コーティングは、着色を含んでもよく、例として噴霧乾燥、カーテンコーティングなど、関連の技術分野で知られた方法によって行われてもよい。ボックス３１２では、形成された物品は、概して、現場で使用するために、積み重ねられ、包装され、運搬の準備がされている。物品は使用前に格納されていてもよい。
【００９２】
第１の実施例では、繊維セメントのトリムボードが、厚さ３／４インチ、長さ１０フィートの仕上がり寸法になるように形成され、様々な幅を有するように作製された。その物品のための配合物は、乾燥重量ベースで、９％のセルロース繊維、３％のポリプロピレン繊維、３８％のポルトランドセメント、２〜３％の粉砕フライアッシュ、１５％の粉砕シリカ、３％のシリカフューム、３％の低密度珪酸カルシウム水和物、３％のヒドロキシエチルセルロース、および２％の重炭酸ナトリウムを含んでいた。さらに、乾燥ベースで配合物の５３重量％まで、配合物に水が追加された。配合物および水は、互いにブレンドされて、事実上均一のペーストが作られた。ペーストは、あらかじめ選択された型によって押し出し成型されて、未硬化の鼻隠し板が製作された。その型は、各ボードに円形に形成した中空領域を取り入れるために、型の長さに沿って円筒形の部分を有するようにデザインされた。この例は円筒形の部分を有する型を含んでいたが、上記で説明したような、かつ／または図面に示したような任意の他の形状を使用してもよいことが留意されよう。押し出し成形の後に、それらのボードは、２５℃、相対湿度２５％、約２４時間の設定で放置され、次いで、オートクレーブ中で約８時間、１６５℃で硬化した。繊維セメントボードは、形成されたときは、軽量であり、トリムアンダ（ｔｒｉｍ  ｕｎｄｅｒ）として使用するのに適切であった。
【００９３】
別の実施例では、繊維セメントの鼻隠し板が、厚さ１インチ、長さ１２フィートまたは１６フィート、幅５．５または７．２５インチの仕上がり寸法で形成された。その物品の配合物は、乾燥重量ベースで、７％のセルロース繊維、１％の合成繊維、４２〜４８％のセメント、１０％の低密度添加剤、３２〜３８％の微粉砕シリカ、０．９〜１．４％の増粘剤を含んでいた。さらに、乾燥ベースで配合物の最大７０重量％まで、配合物に水が加えられた。配合物および水が一緒にブレンドされて、事実上均一のペーストが作られた。次いで、空気が取り入れられた。さらに、発泡剤または気泡安定剤が追加された。ペーストは、あらかじめ選択された型によって押し出し成型された。その型は、図３１または図３２のいずれかに示すような、事実上楕円形の形をした中空領域を有する未硬化の鼻隠し板を製作する、型の長さに沿ってあらかじめ選択した空洞部分を有する。図３１Ａおよび図３２Ａはボードの部分斜視図（長さは縮尺が正確ではない）を示し、図３１Ｂおよび図３２Ｂはボードの端面図を示す。図３１に幅５．５インチのボードを示し、図３２に幅７．２５インチのボードを示す。それらの図はさらに、硬化の前または後に取り入れられてもよい切り欠き部分を示す。切り欠き部分を有する実施形態は、下端などの第２のパネルに協働して嵌まってもよい。押し出し成形の後に、それらのボードは、２５℃、相対湿度２５％、約２４時間の設定で放置され、次いで、オートクレーブ中で約８時間、１６５℃で硬化した。繊維セメントボードは、形成されたときは、軽量であり、鼻隠しとして使用するのに適切であった。
【００９４】
さらなる例では、繊維セメントのトリムボードが、厚さ１インチ、長さ１２フィート、幅３．５または４．５または５．５または７．２５または１１．２５インチの仕上がり寸法で形成された。その物品のための配合物は、乾燥重量ベースで、４％のセルロース繊維、１〜２％の合成繊維、４５〜５０％のセメント、１５％の促進剤、３０〜３５％の微細粉砕シリカ、および１％未満の増粘剤を含んでいた。さらに、乾燥ベースで配合物の最大６５重量％まで、配合物に水が加えられた。配合物および水が一緒にブレンドされて、事実上均一のペーストが作られた。次いで、空気が取り入れられた。さらに、発泡剤または気泡安定剤が追加された。ペーストは、未硬化のトリムボードを生成するようにあらかじめ選択された型によって押し出し成型された。最終のボードの例が図３３または図３４に示されている。図３３Ａおよび図３４Ａは、ボードの部分斜視図を示し（長さは縮尺が正確ではない）、図３３Ｂおよび図３４Ｂは、ボードの端面図を示す。図３３は幅３．５インチのボードを示し、図３４は幅１１．２５インチのボードを示す。押し出し成形の後に、ボードは、さらに形成されて溝を付けられ、次いで、２５℃、相対湿度２５％、約２４時間の設定で放置され、次いで、１６５℃で約８時間、オートクレーブ中で硬化した。トリムボードは、形成されたときは、軽量であり、トリムアンダとして使用するのに適切であった。例えば、2003 International Residential Code for One- and Two- Family Dwellings, Section R703.1（１世帯住宅および２世帯住宅に関する国際住宅基準２００３、セクションＲ７０３．１）参照。
【００９５】
図２９は、廻り縁の形態の定形の物品を断面図に示す。その物品は、ベース幅Ｂのベース面を有する。この実施形態では、物品の第１の側方の縁部Ｃは、ベース面から３８°の角度に沿って、ベース面に対してＤの高さまで延びており、物品の第２の側方の縁部Ｅは、ベース面から５３°の角度に沿って、ベース面に対して高さＦまで延びている。実施形態の１つでは、ベース幅Ｂ、高さＤ、高さＦ、上部の幅Ｇ、および高さＬは、それぞれ約１．９５９インチ、０．６３７インチ、０．６３１インチ、３．２５インチ、および０．８２７インチであってもよい。別の実施形態では、ベース幅Ｂ、高さＤ、高さＦ、上部の幅Ｇ、および高さＬは、それぞれ約４．３２インチ、０．４６１インチ、０．４５２インチ、５．２５インチ、および０．７６８インチであってもよい。
【００９６】
形成時には、本明細書で説明する物品は、パネルまたはボードなど、ある程度平坦な外観を有していてもよい。さらに、物品は、形成されたときに、厚さが一様でなくてもよい。概して、本明細書で説明する物品は、従来のボードと同等の代替物として据え付けられてもよい。本明細書で説明する物品は、鼻隠しまたはトリムまたは廻り縁など、化粧用の非耐荷重パネルとして使用されてもよい。
【００９７】
ある形態では、本明細書で説明する物品は、（所在地の建物の規則に従って）木材のフレーム上に据え付けられる。さらなる実施形態では、本明細書で説明する物品は、（追加の固定具もしくは隠し固定具の助けで、またはその助けなしで）金属のフレームに据え付けられてもよい。他の実施形態では、本明細書で説明する物品は、角部、バンドボード（ｂａｎｄ  ｂｏａｒｄ）に、窓および扉の周りに、傾斜板（ｒａｋｅ）および幕板として、据え付けられる。いくつかの例では、その物品は、建物構造の軒下で屋根の根太の端部をカバーするように構成されている。いくつかの実施形態では、本明細書で説明する物品（３５２）は、図３５に示すように外面が外壁（３５４）に平行に配置された状態で、屋根の根太の複数の端部にわたって垂直に設置されている。さらに、本明細書で説明するいくつかの物品は、図３５に示すように第２のパネル（３５６）と壁（３５４）との間の隙間を跨ぐように、第２のパネルの内面と係合し第２のパネルと壁との間を延びるように適合された第１の物品（３５２）を含んでいてもよい。第１の物品および第２のパネルは、両方とも、本明細書で説明する物品を含んでいてもよく、異なるように構成されていてもよい。第１の物品（３６２）および第２のパネル（３６６）は、図３６に示すシステムのように一緒に据え付けられていてもよい。第１の物品および第２のパネルが屋根の縁部に沿っているときは、システムは、建物構造の外観を良くするように屋根の下側を閉じていてもよい。第１および第２のパネルは、両方が本明細書で説明する物品から作製されていてもされていなくても、天候および虫から軒の下側を保護すること、ならびに適切な換気の助けで屋根裏の温度の変動を小さくすることを助けてもよい。
【００９８】
物品（３６２）が、図３６に示すように、ツーバイ材の副鼻隠し（ａ ２ｘ ｓｕｂ−ｆａｓｃｉａ）（３６４）を覆って（副鼻隠しは下端（３６６）と協働してもよい）、または、ツーバイ材の垂木の末端に直接固定されていてもよい。物品を堅いツーバイ材の副鼻隠しを覆うように据え付けるときは、最小で２インチ、１６ゲージの耐腐食性仕上げ釘が概して使用される。概して、垂木の末端に直接据え付けるときは、本明細書で説明する物品の接合部が、垂木から離れて据え付けられ、ツーバイ材の転び止め（ｂｌｏｃｋｉｎｇ）が接合部の背後に据え付けられるべきである。本明細書の物品を（例えば、ツーバイ材の副鼻隠しなしで）直接垂木の末端に用いるときは、最小６ｄのサイディング用の耐腐食性の並釘が、木材フレームの構築物に取り付けるために概して使用される。仕上げ釘は、物品をツーバイ材の副鼻隠しに取り付けるときにしか使用されない。概して、釘は、縁部から約１〜１／４インチよりも近くには配置されず、物品の端部から１インチよりも近くに配置すべきではない。ファスナの間隔は、垂木の末端に直接据え付けるときは、概して、最大２４インチの中心間の間隔を有し、ツーバイ材の副鼻隠しを覆うように据え付けるときは、概して最大１６インチの中心間の間隔をあけて配置される。全ての水平の突出および露出した物品を面一にすることも重要である。屋根板は、通常、本明細書で説明する物品に取り付けられない。
【００９９】
本明細書で説明する物品は、フレームに対する幕板など、または図３７に示すような角部周りで、建物に直接据え付けられてもよい。図３７は、物品３７６、角部のスタッド（３７２）、および仕上げ釘（３７４）を示す。物品の背面に配置され、次いで、さらにフレームに固定される、隠し固定具が使用されてもよい。鼻隠し、傾斜板、トリム、バンドボード、および幕板の用途に関しては、本明細書で説明する物品を取り付けるために、長さ２インチ、最小１６ゲージの亜鉛めっき仕上げ釘を使用すべきである。釘の配置は、鼻隠し、傾斜板、および幕板の用途の場合に中心間の間隔が１６インチおきであってもよい。さらに、仕上げ釘は、概して、長い縁部から１／２インチよりも近くに配置されず、物品の端部から１インチよりも近くには配置されない。最大２４インチの中心間の間隔をあけて配置されているファスナは、特に開口部が４フィートを超えるときに、バンドボードとして、または窓、扉および他の開口部の周りに配置された物品の場合に使用されてもよい。
【０１００】
図３６は、角部に据え付けられており正面の部材（３６９）の背後に配置されている、傾斜部材（３６７）として物品を示す。いくつかの実施形態では、傾斜部材の底の端部は、正面の部材との平坦な面を設けるために切り取られるべきである。突き合わせ接合部が、垂木から離れて据え付けられ、ツーバイ材の転び止めが接合部の背後に据え付けられることが多い。本明細書で説明する２つの物品同士を接合するときに約２２．５°から４５°の傾斜した切断部が使用されることが多い。図３６はさらに、下端パネル（３６６）およびツーバイ材の鼻隠し（３６４）を示す。
【０１０１】
図３８は、廻り縁として形成および配置された物品（３８１）を、本明細書で説明する、鼻隠し板として配置された別の物品（３８２）と、本明細書で説明する、トリムボードとして配置されたさらに別の物品（３８３）と共に示す。前記物品の据え付けは、壁サイディング（３８７）、下端（３８８）、天候抵抗性のバリア（３８６）、および羽目板（３８４）を含んでいる。
【０１０２】
本明細書で説明する物品を廻り縁として配置するときは、２．５インチ、最小１６ゲージの仕上げ釘が使用されるべきである。廻り縁ボードとして鉄骨フレーム構造に据え付けるときは、ファスナが使用されてもよい。適切なファスナの例の１つは、ＥＴ＆Ｆ  Ｆａｓｔｅｎｉｎｇ  Ｓｙｓｔｅｍｓ、  Ｉｎｃ．（米国オハイオ州）からのものである。概して、釘は、縁部から０．５インチかつ物品の端部から１インチよりも近くには配置されるべきでなく、中心間の間隔最大１６インチで配置されるべきである。
【０１０３】
図３９は、本明細書で説明する、鼻隠し板として設けられている別の物品（３９４）と、廻り縁（３９６）として設けられているさらなる物品と、本明細書で説明する、トリムボードとして設けられているさらに他の物品（３９８）と、バンドボード（３９９）としての追加の物品と共に、傾斜板として形成および配置された物品（３９２）を示す。前記物品の据え付けは、雨押さえ（３９１）、下端（３９３）、ツーバイ材の副鼻隠し（３９５）、および最小１／８インチの場合がある隙間（３９７）を含んでいる。
【０１０４】
固定具の取り扱いは、本明細書で説明する物品を使用するときのほとんどの用途と同様である。概して、本明細書で説明する物品に使用される全てのファスナが、耐腐食性、亜鉛めっき、またはステンレス鋼であるべきである。ステンレス鋼のファスナが良い。電気亜鉛めっきファスナが許容可能であるが、耐腐食性が不十分な場合がある。良質の溶融めっきした亜鉛めっき釘が良い。本明細書で説明する物品は、手で釘打ちしてもよく、空気圧式工具で固定してもよい。空気圧式固定具は、本明細書で説明した物品を据え付けるときに、多くの例でより適切である。釘は、物品に対して面一にされるべきである。空気圧式工具による面一型の取り付けは、良好であり、釘打ちしているときの釘の深さを制御するのを助ける。いくつかの実施形態では、釘をアンダドライブする（ｕｎｄｅｒ  ｄｒｉｖｅ）ときに固化を利用してもよい。アンダドライブ式の釘（ｕｎｄｅｒ  ｄｒｉｖｅｎ  ｎａｉｌ）は、滑らかな面のハンマでぴったりとさらに釘打ちされてもよい。ファスナをフレームに対して垂直に押し込むべきである。釘は、角度を付けて押し込むべきではない。木材フレームの場合は、アンダドライブ式の釘は、滑らかな面のハンマでトリムに面一に打たれてもよい。アルミニウムのファスナ、ステープル、または頭部が欠けたタイプの釘は、概して、本明細書で説明する物品には適切ではない。
【０１０５】
据え付け後に、物品は、さらにコーキング、塗装および／または下塗りされてもよい。こうしたさらなるステップは、現場で切断した縁部に有効である。コーキングするときは、ＡＳＴＭ  Ｃ９２０  ＧＲＡＤＥ  ＮＳ、Ｃｌａｓｓ  ２５などに準拠したエラストマー系の目地剤以上のエラストマー系の目地剤、またはＡＳＴＭ  Ｃ８３４に準拠したラテックス系の目地剤に対しては結果が良好であることが分かっている。コーキングは、塗布するときに、製造業者の指示書および／またはＡＳＴＭ  Ｃｌ１９３に従って塗布するべきである。色合わせしたコーキングが入手可能である。
【０１０６】
一部の物品は、あらかじめ塗装またはあらかじめ下塗りしてもよく、下塗りまたは塗装した面（複数可）にラミネートシートを含んでもよい。下塗りおよび／または塗装した物品を据え付ける場合は、そのラミネートシートは、物品を据え付けるときに外側を向いている。そのラミネートシートは、釘打ち後にできるだけすぐに取り除くべきである。任意の釘の頭部の手直しは、ラミネートシートを取り除く前に行ってもよく、その後に行ってもよい。方法の１つは、ラミネートシートが適位置にある間に手直しし、次いで、塗装が乾く前にラミネートシートを取り除くことである。さらなる塗装または手直しを、物品を据え付けた後に行ってもよい。手直しは、概して、切り欠き、ひっかき、および釘の頭部に関するものである。広い領域に手直しが必要な場合は、選択肢の１つは、損傷した領域を、塗装済みの新しい物品に交換することである。工場で切断していない縁部は、縁部のコーティング機で処理すべきである。
【０１０７】
通常、据え付けられた物品（例えば、あらかじめ塗装していない物品）は、あらかじめ下塗りされた物品の場合は約１８０日以内に、下塗りしていない物品の場合は約９０日以内に塗装すべきである。１００％アクリル製の上塗りが推奨される。物品は、濡れているときには塗装すべきでない。塗布割合は、製造業者の仕様に従うべきである。物品がスプレ噴霧される場合は、多くの例で、バックローリング（ｂａｃｋ−ｒｏｌｌｉｎｇ）を実行してもよい。
【０１０８】
本明細書で説明する定形の物品は、低密度であり、釘打ち可能であり、強度および耐久性が良好である。本明細書で説明する物品の質量および／または見かけ乾燥密度が低減されているので、前記物品は、代替の工程によって製作される他の物品とは異なる。本明細書の物品は、代替の工程で形成された他のセメント系物品とは異なり、説明した工程および配合物を含むときは、サイディング、パネル、トリム、鼻隠し、屋根材、廻り縁、敷板、または外柵などの建材に有効な長い物品として最初に用意されてよい。
【０１０９】
多くの実施形態の上記の説明は、本発明の根本的な新規の特徴を示し、説明し、指摘してきたが、図示のような本発明の詳細の形態の様々な省略、代用、および変更、ならびにそれらの使用を、本発明の範囲から逸脱することなしに、当業者なら実施できることが理解されよう。したがって、本発明の範囲を上記の議論に限定すべきではない。
【図１Ａ】
2012522916.tif 000005
【図１Ｂ】
2012522916.tif 000006
【図２Ａ】
2012522916.tif 000007
【図２Ｂ】
2012522916.tif 000008
【図３Ａ】
2012522916.tif 000009
【図３Ｂ】
2012522916.tif 000010
【図４Ａ】
2012522916.tif 000011
【図４Ｂ】
2012522916.tif 000012
【図５Ａ】
2012522916.tif 000013
【図５Ｂ】
2012522916.tif 000014
【図５Ｃ】
2012522916.tif 000015
【図６Ａ】
2012522916.tif 000016
【図６Ｂ】
2012522916.tif 000017
【図６Ｃ】
2012522916.tif 000018
【図７】
2012522916.tif 000019
【図８】
2012522916.tif 000020
【図９】
2012522916.tif 000021
【図１０】
2012522916.tif 000022
【図１１】
2012522916.tif 000023
【図１２Ａ】
2012522916.tif 000024
【図１２Ｂ】
2012522916.tif 000025
【図１２Ｃ】
2012522916.tif 000026
【図１３Ａ】
2012522916.tif 000027
【図１３Ｂ】
2012522916.tif 000028
【図１３Ｃ】
2012522916.tif 000029
【図１４】
2012522916.tif 000030
【図１５】
2012522916.tif 000031
【図１６Ａ】
2012522916.tif 000032
【図１６Ｂ】
2012522916.tif 000033
【図１７Ａ】
2012522916.tif 000034
【図１７Ｂ】
2012522916.tif 000035
【図１８】
2012522916.tif 000036
【図１９Ａ】
2012522916.tif 000037
【図１９Ｂ】
2012522916.tif 000038
【図１９Ｃ】
2012522916.tif 000039
【図２０】
2012522916.tif 000040
【図２１Ａ】
2012522916.tif 000041
【図２１Ｂ】
2012522916.tif 000042
【図２２】
2012522916.tif 000043
【図２３】
2012522916.tif 000044
【図２４】
2012522916.tif 000045
【図２５】
2012522916.tif 000046
【図２６】
2012522916.tif 000047
【図２７】
2012522916.tif 000048
【図２８】
2012522916.tif 000049
【図２９】
2012522916.tif 000050
【図３０】
2012522916.tif 000051
【図３１Ａ】
2012522916.tif 000052
【図３１Ｂ】
2012522916.tif 000053
【図３２Ａ】
2012522916.tif 000054
【図３２Ｂ】
2012522916.tif 000055
【図３３Ａ】
2012522916.tif 000056
【図３３Ｂ】
2012522916.tif 000057
【図３４Ａ】
2012522916.tif 000058
【図３４Ｂ】
2012522916.tif 000059
【図３５】
2012522916.tif 000060
【図３６】
2012522916.tif 000061
【図３７】
2012522916.tif 000062
【図３８】
2012522916.tif 000063
【図３９】
2012522916.tif 000064
【国際調査報告】
2012522916.tif 000065